(57)【要約】【課題】  複数波の衛星信号を周波数変換した信号を１本の伝送線路で伝送する。【解決手段】  第１の静止衛星から到来し、互いに異なる偏波面を有し、同一または重複する周波数帯の第１及び第２の衛星信号を第１の中間周波信号にミキサ１０が周波数変換する。第２の静止衛星から到来し互いに異なる偏波面を有する同一周波数帯の第３及び第４の衛星信号と、第３の静止衛星から到来し、互いに異なる偏波面を有し第３及び第４の衛星信号と同一周波数帯の第５及び第６の衛星信号とを、ミキサ２６が第２の中間周波信号に周波数変換する。第１及び第２の中間周波信号が混合されて、１つの出力端子３６に供給される。出力端子３６に供給された制御信号に応じて、ＬＮＡ４Ｒまたは４Ｌが動作することで第１及び第２の衛星信号のうち一方を選択して、ミキサ１０に供給し、ＬＮＡ１８Ｖ、１８Ｈ、２０Ｖ、２０Ｈのうち１台が動作することで、第３乃至第６の衛星信号のうち１つを選択して、ミキサ２６に供給する。【選択図】        図１
2007096419.tif 000002
【特許請求の範囲】
【請求項１】
第１乃至第３の静止衛星軌道上の衛星から到来する第１乃至第６の衛星信号であって、
第１及び第２の衛星信号が、第１の静止衛星軌道上の衛星から到来し、互いに異なる偏波面を有すると共に、同一または重複する周波数帯域を持ち、
第３及び第４の衛星信号が、第２の静止衛星軌道上の衛星から到来し、互いに異なる偏波面を有し、
第５及び第６の衛星信号が、第３の静止衛星軌道上の衛星から到来し、互いに異なる偏波面を有し、
第３乃至第６の衛星信号が同一または重複する周波数帯を持つ
ものを、周波数変換する装置であって、
第１及び第２の衛星信号を第１の局部発振信号で第１の中間周波信号に周波数変換する第１の周波数変換手段と、
第３乃至第６の衛星信号を第２の局部発信信号で第２の中間周波信号に周波数変換する第２の周波数変換手段と、
第１及び第２の中間周波信号が混合されて、供給される１つの出力端子と、
この出力端子に供給された制御信号に応じて、第１及び第２の衛星信号のうち一方を選択して、第１の周波数変換手段に供給し、かつ、第３乃至第６の衛星信号のうち１つを選択して、第２の周波数変換手段に供給する選択手段とを、
具備する周波数変換装置。
【請求項２】
第１乃至第３の静止衛星軌道上の衛星から到来する第１、第３乃至第６の衛星信号であって、
第１の衛星信号が、第１の静止衛星軌道上の衛星から到来し、
第３及び第４の衛星信号が、第２の静止衛星軌道上の衛星から到来し、互いに異なる偏波面を有し、
第５及び第６の衛星信号が、第３の静止衛星軌道上の衛星から到来し、互いに異なる偏波面を有し、
第３乃至第６の衛星信号が同一または重複する周波数帯を持つ
ものを、周波数変換する装置であって、
第１の衛星信号が供給されて、これを第１の局部発振信号で第１の中間周波信号に周波数変換する第１の周波数変換手段と、
第３乃至第６の衛星信号を第２の局部発振信号で第２の中間周波信号に周波数変換する第２の周波数変換手段と、
第１及び第２の中間周波信号が混合されて、供給される１つの出力端子と、
この出力端子に供給された制御信号に応じて、第３乃至第６の衛星信号のうち１つを選択して、第２の周波数変換手段に供給する選択手段とを、
具備する周波数変換装置。
【請求項３】
第１乃至第３の静止衛星軌道上の衛星から到来する第１乃至第７の衛星信号であって、
第１、第２及び第７の衛星信号が、第１の静止衛星軌道上の衛星から到来し、第１及び第２の衛星信号は互いに異なる偏波面を有するが、同一または重複する周波数帯を持ち、第１及び第７の衛星信号は同一の偏波面を有するが、異なる周波数帯を持ち、
第３及び第４の衛星信号が、第２の静止衛星軌道上の衛星から到来し、互いに異なる偏波面を有し、
第５及び第６の衛星信号が、第３の静止衛星軌道上の衛星から到来し、互いに異なる偏波面を有し、
第３乃至第６の衛星信号が同一または重複する周波数帯を持つ
ものを、周波数変換する装置であって、
第１及び第２の衛星信号の一方を第１の中間周波信号に、第７の衛星信号を第３の中間周波信号に、同一の第１の局部発振信号で、周波数変換する第１の周波数変換手段と、
第３乃至第６の衛星信号を、第１局部発振信号と異なる周波数の第２の局部発振信号で第２の中間周波信号に周波数変換する第２の周波数変換手段と、
第１乃至第３の中間周波信号が混合されて、供給される１つの出力端子と、
この出力端子に供給された制御信号に応じて、第１及び第２の衛星信号のうち一方を選択して、第７の衛星信号と共に、第１の周波数変換手段に供給し、かつ、第３乃至第６の衛星信号のうち１波を選択して、第２の周波数変換手段に供給する選択手段とを、
具備する周波数変換装置。
【請求項４】
第１乃至第３の静止衛星軌道上の衛星から到来する第１乃至第７の衛星信号であって、
第１、第２及び第７の衛星信号が、第１の静止衛星軌道上の衛星から到来し、第１及び第２の衛星信号は互いに異なる偏波面を有し、第１及び第７の衛星信号は同一の偏波面を有するが、異なる周波数帯を持ち、
第３及び第４の衛星信号が、第２の静止衛星軌道上の衛星から到来し、互いに異なる偏波面を有し、
第５及び第６の衛星信号が、第３の静止衛星軌道上の衛星から到来し、互いに異なる偏波面を有し、
第１乃至第６の衛星信号が同一または重複する周波数帯を持つ
ものを、周波数変換する装置であって、
第７の衛星信号と、第１乃至第６の衛星信号のうち選択されたものとを混合したものが供給され、第７の衛星信号を第１の中間周波信号に、第１乃至第６の衛星信号のうち選択されたものを、第１の中間周波信号と周波数帯が異なる第２の中間周波信号に、１つの局部発振信号を用いて、それぞれ周波数変換する周波数変換手段と、
第１及び第２の中間周波信号が混合されて、供給される１つの出力端子と、
この出力端子に供給された制御信号に応じて、第１乃至第６の衛星信号のうち１つを選択して、前記周波数変換手段に供給する選択手段とを、
具備する周波数変換装置。
【請求項５】
第１乃至第３の静止衛星軌道上の衛星から到来する第１乃至第６の衛星信号であって、
第１及び第２の衛星信号が、第１の静止衛星軌道上の衛星から到来し、互いに異なる偏波面を有すると共に、同一または重複する周波数帯域を持ち、
第３及び第４の衛星信号が、第２の静止衛星軌道上の衛星から到来し、互いに異なる偏波面を有し、
第５及び第６の衛星信号が、第３の静止衛星軌道上の衛星から到来し、互いに異なる偏波面を有し、
第３乃至第６の衛星信号が同一または重複する周波数帯を持つ
ものを、周波数変換する装置であって、
第１及び第２の衛星信号を第１の局部発振信号によって第１の中間周波信号に周波数変換する第１の周波数変換手段と、
第３及び第４の衛星信号を第１の局部発振信号によって第２の中間周波信号に周波数変換する第２の周波数変換手段と、
第５及び第６の衛星信号を第２の局部発振信号によって第３の中間周波信号に周波数変換する第３の周波数変換手段と、
第１の周波数変換手段の出力信号か、第２及び第３の周波数変換手段の出力信号を混合した信号かのいずれかが、供給される１つの出力端子と、
この出力端子に供給された制御信号に応じて、第１及び第２の衛星信号のうち一方を選択して、第１の周波数変換手段に供給するか、第３及び第４の衛星信号のうち一方を選択して、第２の周波数変換手段に供給し、かつ第５及び第６の衛星信号のうち一方を選択して第３の周波数変換手段に供給するか選択する選択手段とを、
具備する周波数変換装置。
【請求項６】
請求項１乃至５いずれか記載の周波数変換装置が筐体内に収容され、
前記筐体には、第１の静止軌道上の衛星からの衛星信号を受信する第１の一次放射器と、第２の静止軌道上の衛星からの衛星信号を受信する第２の一次放射器と、第３の静止軌道上の衛星からの衛星信号を受信する第３の一次放射器とが、設けられている
一次放射器付き周波数変換装置。
【請求項７】
請求項６記載の一次放射器付き周波数変換装置が、パラボラ反射鏡の焦点付近に配置されているパラボラアンテナ。
【発明の詳細な説明】
【技術分野】
【０００１】
本発明は、周波数変換装置に関し、特に、パラボラアンテナの一次放射器と共に使用される周波数変換装置に関し、さらに、この周波数変換装置を備えたパラボラアンテナに関する。
【背景技術】
【０００２】
４基の静止衛星からの電波を受信するマルチビームパラボラアンテナの一例が、特許文献１に開示されている。特許文献１の技術では、マルチビームパラボラアンテナの焦点位置に一次放射器つきの周波数変換装置が配置されている。この周波数変換装置は、内部に切換回路を備え、パラボラアンテナで受信した衛星信号の１つを選択して、周波数変換し、１本の同軸ケーブルを介して、家屋内に配置されたチューナに伝送する。チューナは、受信しようとするチャンネルがどの衛星からの直線偏波である水平または垂直偏波を持つものかを判断し、その判断に基づいて衛星切換信号、偏波面（水平または垂直）切換信号を出力する。偏波面切換信号には直流電圧を使用し、垂直偏波を選択するときには１５Ｖ、水平偏波を選択するときには１１Ｖの電圧がチューナから出力される。衛星切換信号としては、例えば１ｋＨｚ、１０ｋＨｚ、５０ｋＨｚ、１００ｋＨｚの衛星識別信号で１０ＭＨｚの高周波信号を変調したものを使用する。
【０００３】
【特許文献１】特開平１０−２００４３６号公報
【発明の開示】
【発明が解決しようとする課題】
【０００４】
特許文献１の技術では、１本の同軸ケーブルを介してチューナに、複数の衛星信号のうち１波を周波数変換した信号を供給することができる。しかし、常に各衛星からの信号のうち１波しかチューナでは受信することができない。近年、家庭用の共同受信システム等が開発されており、複数の衛星からの信号を同時に１本の伝送線路を介して伝送する必要性がある。特許文献１の技術では、このような要望に対応することができない。
【０００５】
本発明は、複数波の衛星信号を周波数変換した信号を１本の伝送線路で伝送することが可能な周波数変換装置、この周波数変換装置に一次放射器を備えた一次放射器付き周波数変換装置及びこの一次放射器付き周波数変換装置を備えたパラボラアンテナを提供することを目的とする。
【課題を解決するための手段】
【０００６】
本発明の第１の態様による周波数変換装置は、第１乃至第３の静止衛星軌道上の点から到来する第１乃至第６の衛星信号を周波数変換するものである。第１及び第２の衛星信号は、第１の静止衛星軌道上の衛星から到来し、互いに異なる偏波面を有すると共に、同一または一部重複する周波数帯域を持っている。第３及び第４の衛星信号は、第２の静止衛星軌道上の衛星から到来し、互いに異なる偏波面を有している。第５及び第６の衛星信号は、第３の静止衛星軌道上の衛星から到来し、互いに異なる偏波面を有している。第３乃至第６の衛星信号は同一または重複する周波数帯を持っている。第１の周波数変換手段が、第１及び第２の衛星信号を第１の局部発振信号で第１の中間周波信号に周波数変換する。第２の周波数変換手段が、第３乃至第６の衛星信号を第２の局部発振信号で第２の中間周波信号に周波数変換する。第１及び第２の中間周波信号が混合されて１つの出力端子に供給される。この出力端子に供給された制御信号に応じて、選択手段が、第１及び第２の衛星信号のうち一方を選択して、第１の周波数変換手段に供給し、かつ、第３乃至第６の衛星信号のうち１つを選択して、第２の周波数変換手段に供給する。制御信号としては、第１及び第２の制御信号の合成信号を使用することができ、第１及び第２の制御信号は、分離可能に合成されていることが望ましい。第１の制御信号には、２つの異なる状態、例えば第１の値と第２の値のいずれかを呈することが可能なもので、具体的には２つの値のいずれかを示す直流電圧を使用することができる。これによって、３基の衛星それぞれにおいて送信される２つの偏波面の一方を選択する。第２の制御信号には、２つの異なる状態、例えばパルス信号が有る第１の状態と、パルス信号が無い第２の状態を呈することが可能な第２の制御信号を用いることができる。これによって、第１及び第２の衛星信号と、第３乃至第６の衛星信号とを切換える。
【０００７】
このように構成した周波数変換装置では、選択手段が、第１及び第２の衛星信号のうち一方を選択して、第１の周波数変換手段に供給し、かつ、第３乃至第６の衛星信号のうち１つを選択して、第２の周波数変換手段に供給するので、第１及び第２の衛星信号のうち一方を周波数変換した第１中間周波信号と、第３乃至第６の衛星信号のうち１つを周波数変換した第２の中間周波信号とが混合されて、１つの出力端子から出力される。従って、出力端子に接続された１本の伝送線路を介して２波の中間周波信号を出力することができる。
【０００８】
本発明の第２の態様の周波数変換装置は、上記の態様において、第２の衛星信号が存在せず、第１の衛星信号が常に第１の周波数変換手段に供給されている。出力端子に供給された制御信号は、第３乃至第６の衛星信号のうち１つを選択して、第２の周波数変換手段に供給する。
【０００９】
この場合も、２基の静止衛星からの信号を同時に出力端子から出力することができる。
【００１０】
本発明の第３の態様の周波数変換装置は、第１の態様における第１の静止衛星が、第１及び第２の衛星信号の他に、第７の衛星信号も送信している。第１及び第２の衛星信号は互いに異なる偏波面を有するが、同一または一部重複する周波数帯を持っている。第１及び第７の衛星信号は同一の偏波面を有するが、異なる周波数帯を持っている。第３乃至第６の衛星信号は、第１の態様の第３乃至第６の衛星信号と同様である。第１の周波数変換手段が、第１及び第２の衛星信号の一方を第１の中間周波信号に、第７の衛星信号を第３の中間周波信号に、同一の第１の局部発振信号で、周波数変換する。第２の周波数変換手段が、第３乃至第６の衛星信号を、第１局部発振信号と異なる周波数の第２の局部発振信号で第２の中間周波信号に周波数変換する。第１乃至第３の中間周波信号が混合されて、１つの出力端子に供給される。この出力端子に供給された制御信号に応じて、選択手段が、第１及び第２の衛星信号のうち１波を選択して、第７の衛星信号と共に、第１の周波数変換手段に供給し、かつ、第３乃至第６の衛星信号のうち１波を選択して、第２の周波数変換手段に供給する。制御信号は、例えば第１及び第２の制御信号から構成することができる。第１及び第２の制御信号としては、第１の態様の第１及び第２の制御信号と同様なものを使用することができる。
【００１１】
この態様では、第７の衛星信号を周波数変換した第３の中間周波信号が常に出力端子に供給され、第１及び第２の衛星信号のうち１波を周波数変換した第１の中間周波信号と、第３乃至第６の衛星信号のうち１波を周波数変換した第２の中間周波信号との合計３波の信号が１つの出力端子から出力される。
【００１２】
第４の態様の周波数変換装置では、第３の態様と同様に第１乃至第７の衛星信号が使用される。第７の衛星信号と、第１乃至第６の衛星信号のうち選択されたものとを混合したものが供給され、第７の衛星信号を第１の中間周波信号に、第１乃至第６の衛星信号のうち選択されたものを、第１の中間周波信号と周波数帯が異なる第２の中間周波信号に、１つの局部発振信号を用いて、周波数変換手段がそれぞれ周波数変換する。第１及び第２の中間周波信号が混合されて、１つの出力端子に供給される。この出力端子に供給された制御信号に応じて、第１乃至第６の衛星信号のうち１つを選択手段が選択して、前記周波数変換手段に供給する。制御信号としては、上記の各態様と同様に第１及び第２の制御信号を合成したものを使用することができる。第１の制御信号は、３つの異なる状態のうちいずれかを取ることができ、第１の状態で第１の衛星の第１及び第２の衛星信号が選択され、第２の状態で、第２及び第３の衛星の同じ偏波面を持つ第３及び第５の衛星信号が選択され、第３の状態で、第２及び第３の衛星の同じ偏波面を持つが第３及び第５の衛星信号とは異なる偏波面を持つ第４及び第６の衛星信号が選択される。第２の制御信号は第１及び第２の状態のいずれかを取り、第１の状態において第１及び第２の衛星信号、第３及び第５の衛星信号、第４及び第６の衛星信号の一方を選択し、第２の状態において第１及び第２の衛星信号、第３及び第５の衛星信号、第４及び第６の衛星信号の他方を選択する。
【００１３】
この態様においては、常に第７の衛星信号が第１の中間周波信号に周波数変換され、第１乃至第６の衛星信号のうち１つが第２の中間周波信号に周波数変換され、１つの出力端子から出力される。従って、この態様においても、１つの伝送線路を介して２波の信号を伝送することができる。
【００１４】
第５の態様の周波数変換装置では、第１の態様と同様に、第１乃至第６の衛星信号が使用される。第１の周波数変換手段が、第１及び第２の衛星信号を第１の局部発振信号によって第１の中間周波信号に周波数変換する。第２の周波数変換手段が、第３及び第４の衛星信号を第１の局部発振信号によって第２の中間周波信号に周波数変換する。第３の周波数変換手段が、第５及び第６の衛星信号を第２の局部発振信号によって第３の中間周波信号に周波数変換する。第１の周波数変換手段の出力信号か、第２及び第３の周波数変換手段の出力信号を混合した信号のいずれか一方が、１つの出力端子に供給される。この出力端子に供給された制御信号に応じて、選択手段が、第１及び第２の衛星信号のうち一方を選択して、第１の周波数変換手段に供給するか、第３及び第４の衛星信号のうち一方を選択して、第２の周波数変換手段に供給し、かつ第５及び第６の衛星信号のうち一方を選択して第３の周波数変換手段に供給するか選択する。制御信号は、上記の各態様と同様に第１及び第２の制御信号を合成したものとすることができる。第１の制御信号は、第１及び第２の状態のいずれかを取るもので、第１の状態において、第１、第３及び第５の衛星信号を選択し、第２の状態で第２、第４及び第６の衛星信号を選択する。第２の制御信号も第１及び第２の状態のいずれかを取り、第１の状態で、第１及び第２の衛星信号を選択し、第２の状態で、第３乃至第６の衛星信号を選択する。
【００１５】
この態様では、第１または第２の衛星信号のいずれかを周波数変換した第１の中間周波信号が出力されるか、第３乃至第６の衛星信号のうち２波を周波数変換した第２及び第３の中間周波信号が混合されて出力される。
【００１６】
第１乃至第５の態様のいずれかの周波数変換装置は筐体内に設けられている。この筐体には、第１の静止軌道上の点からの信号を受信する第１の一次放射器と、第２の静止軌道上の点からの信号を受信する第２の一次放射器と、第３の静止軌道上の点からの信号を受信する第３の一次放射器とが、設けられて、一次放射器付き周波数変換装置が実現される。また、この一次放射器付き周波数変換装置が、パラボラ反射鏡の焦点付近に配置されている。
【発明の効果】
【００１７】
以上のように、本発明によれば、１本の伝送線路を介して複数の衛星信号を周波数変換した信号を伝送することができる。
【発明を実施するための最良の形態】
【００１８】
本発明の第１の実施形態の周波数変換装置は、パラボラ反射鏡、例えばオフセットパラボラ反射鏡または放物面パラボラ反射鏡の焦点位置に配置された１つの筐体内に設けられている。この筐体には、第１乃至第３の一次放射器が設けられている。
【００１９】
第１の一次放射器は、第１の静止衛星軌道上の衛星、例えば東経１１０度の位置に打ち上げられている通信衛星からの第１及び第２の衛星信号を受信するためのものである。第１及び第２の衛星信号の受信偏波は円偏波である。第１の衛星信号は、例えば右旋円偏波の偏波面を持ち、第２の衛星信号は、例えば左旋円偏波の偏波面を持つ。第１の衛星信号は、例えば通信衛星から送信される右旋円偏波の信号で、１２．２乃至１２．７５ＧＨｚの周波数帯を持つ。第２の衛星信号は、通信衛星から送信される例えば左旋円偏波の偏波面を持ち、周波数帯は１２．２乃至１２．７５ＧＨｚである。従って、第１の衛星信号と第２の衛星信号とは、異なる偏波面を持ち、周波数帯が重複するものである。
【００２０】
第２の一次放射器は、第２の静止衛星軌道上の衛星、例えば東経１２４度の位置に打ち上げられている通信衛星からの第３及び第４の衛星信号を受信するためのもので、第３及び第４の衛星信号の受信偏波は直線偏波である。第３の衛星信号は、例えば垂直偏波の偏波面を持ち、その周波数帯は１２．２乃至１２．７５ＧＨｚである。第４の衛星信号は、例えば水平偏波の偏波面を持ち、その周波数帯は、第３の衛星信号と同じ１２．２乃至１２．７５ＧＨｚである。
【００２１】
第３の一次放射器は、第３の静止衛星軌道上の衛星、例えば東経１２８度の位置に打ち上げられている通信衛星からの第５及び第６の衛星信号を受信するためのもので、第５及び第６の衛星信号の受信偏波は直線偏波である。第５の衛星信号は、例えば垂直偏波の偏波面を持ち、その周波数帯は１２．２乃至１２．７５ＧＨｚである。第６の衛星信号は、例えば水平偏波の偏波面を持ち、その周波数帯は、第３の衛星信号と同じ１２．２乃至１２．７５ＧＨｚである。即ち、第３乃至第６の衛星信号は同一の周波数帯を持つ。
【００２２】
図１に示すように、第１の一次放射器には、第１の衛星信号受信用のプローブ２Ｒと、第２の衛星信号受信用のプローブ２Ｌとが設けられている。プローブ２Ｒで受信された右旋円偏波の第１の衛星信号は、ＬＮＡ（ローノイズアンプ）４Ｒで増幅される。同様にプローブ２Ｌで受信された左旋円偏波の第２の衛星信号はＬＮＡ４Ｌで増幅される。
【００２３】
これらＬＮＡ４Ｒ、４Ｌは、排他的に動作するように、即ち一方が動作しているとき、他方は動作しないように、後述する切換制御回路４６によって制御される。即ち、ＬＮＡ４Ｒ、４Ｌは、選択手段の一部として機能する。これらＬＮＡ４Ｒまたは４Ｌの増幅出力信号は、ＬＮＡ６で増幅された後、抽出手段、例えばバンドパスフィルタ８によって、第１の衛星信号または第２の衛星信号が抽出され、第１の周波数変換手段、例えばミキサ１０に供給される。ミキサ１０には局部発振器１２から局部発振信号も供給され、ミキサ１０は、第１または第２の衛星信号を第１中間周波信号に周波数変換する。
【００２４】
第２の一次放射器には、第３の衛星信号受信用のプローブ１４Ｖと、第４の衛星信号受信用のプローブ１４Ｈとが設けられている。同様に、第３の一次放射器には、第５の衛星信号受信用のプローブ１６Ｖと、第６の衛星信号受信用のプローブ１６Ｈとが設けられている。プローブ１４Ｖで受信された垂直偏波の第３の衛星信号はＬＮＡ１８Ｖによって増幅される。同様に、プローブ１４Ｈで受信された水平偏波の第４の衛星信号はＬＮＡ１８Ｈによって増幅される。また、プローブ１６Ｖで受信された垂直偏波の第５の衛星信号は、ＬＮＡ２０Ｖによって増幅される。プローブ１６Ｈで受信された水平偏波の第６の衛星信号は、ＬＮＡ２０Ｈによって増幅される。
【００２５】
これらローノイズアンプ１８Ｖ、１８Ｈ、２０Ｖ、２０Ｈは、排他的に動作するように、即ち１台が動作しているとき、他の３台は動作しないように、後述する切換制御回路４６によって制御される。即ち、ＬＮＡ１８Ｖ、１８Ｈ、２０Ｖ、２０Ｈは、選択手段の一部として機能する。ＬＮＡ１８Ｖ、１８Ｈ、２０Ｖ、２０Ｈのうち１台の増幅出力信号は、ＬＮＡ２２で増幅された後、抽出手段、例えばバンドパスフィルタ２４によって、第３、第４、第５または第６の衛星信号が抽出され、第２の周波数変換手段、例えばミキサ２６に供給される。ミキサ２６には局部発振器２８から局部発振信号も供給され、ミキサ２６は、第３乃至第６の衛星信号のうち１波を第２中間周波信号に周波数変換する。なお、第１及び第２局部発振信号の周波数は異なっており、第１及び第２の中間周波信号の周波数帯は非重複である。
【００２６】
ミキサ１０、２６からの第１及び第２の中間周波信号は、混合器３０によって混合された後、中間周波増幅器３２によって増幅され、直流阻止コンデンサ３４を介して出力端子３６に供給される。出力端子３６は図示しない伝送線路、例えば同軸ケーブルを介して受信手段、例えばチューナに供給される。
【００２７】
このチューナは、同軸ケーブルを介して制御信号を出力端子３６に供給する。この制御信号は、第１の制御信号と、第２の制御信号とを合成したものである。
【００２８】
第１の制御信号は、例えば第１及び第２の状態のいずれかをとる直流電圧で、例えば第１の状態では、＋１５Ｖとなり、第２の状態では＋１１Ｖとなる。この＋１５Ｖまたは＋１１Ｖの電圧は、ＬＮＡ６、２２、ミキサ１０、２６、局部発振器１２、２８、中間周波増幅器３２の動作電圧の基ともなる。
【００２９】
第２の制御信号も第１及び第２の状態をとるもので、第１の状態ではパルス信号が存在せず、第２の状態ではパルス信号が存在する。
【００３０】
出力端子３６に供給された制御信号は、高周波阻止コイル３８を介して電源部４０に供給される。電源部４０の電源回路４２に＋１５Ｖまたは＋１１Ｖの電圧が供給されると、電源回路４２は、上述したＬＮＡ６、２２、ミキサ１０、２６、局部発振器１２、２８、中間周波増幅器３２への動作電圧を生成し、これらに供給する。従って、これらは制御信号が供給されている限り、常に動作する。
【００３１】
制御信号は、電圧比較回路４４に供給され、制御信号中の直流電圧が＋１５Ｖであるか＋１１Ｖであるかを判定し、その判定結果を切換制御回路４６に供給する。また、制御信号は直流阻止コンデンサ４８を介してパルス検波回路５０に供給される。パルス検波回路５０は、制御信号中にパルス信号が含まれているか否かを判定し、その判定結果を切換制御回路４６に供給する。
【００３２】
切換制御回路４６は、パルス信号が検出されていてもいなくても、直流電圧が＋１５Ｖである限り、ＬＮＡ４Ｒを動作させ、ＬＮＡ４Ｌを動作させない。従って、この場合、右旋円偏波の第１の衛星信号がＬＮＡ４Ｒ、ＬＮＡ６、バンドパスフィルタ８を介してミキサ１０に供給され、第１の中間周波信号に周波数変換される。
【００３３】
切換制御回路４６は、パルス信号が検出されていてもいなくても、直流電圧が＋１１Ｖである限り、ＬＮＡ４Ｌを動作させ、ＬＮＡ４Ｒを動作させない。従って、この場合、左旋円偏波の第２の衛星信号がＬＮＡ４Ｌ、ＬＮＡ６、バンドパスフィルタ８を介してミキサ１０に供給され、第１の中間周波信号に周波数変換される。
【００３４】
即ち、直流電圧の値に応じて第１または第２の衛星信号が選択される。
【００３５】
切換制御回路４６は、＋１１Ｖの電圧が検出され、パルス信号が検出されているとき、ＬＮＡ１８Ｖを動作させ、他のＬＮＡ１８Ｈ、２０Ｖ、２０Ｈを動作させない。従って、第３乃至第６の衛星信号のうち垂直偏波の第３の衛星信号がＬＮＡ１８Ｖ、ＬＮＡ２２、バンドパスフィルタ２４を介してミキサ２６に供給され、第２の中間周波信号に周波数変換される。
【００３６】
切換制御回路４６は、＋１５Ｖの電圧が検出され、パルス信号が検出されているとき、ＬＮＡ１８Ｈを動作させ、他のＬＮＡ１８Ｖ、２０Ｖ、２０Ｈを動作させない。従って、第３乃至第６の衛星信号のうち水平偏波の第４の衛星信号がＬＮＡ１８Ｈ、ＬＮＡ２２、バンドパスフィルタ２４を介してミキサ２６に供給され、第２の中間周波信号に周波数変換される。
【００３７】
切換制御回路４６は、＋１１Ｖの電圧が検出され、パルス信号が検出されていないとき、ＬＮＡ２０Ｖを動作させ、他のＬＮＡ１８Ｖ、１８Ｈ、２０Ｈを動作させない。従って、第３乃至第６の衛星信号のうち垂直偏波の第５の衛星信号がＬＮＡ２０Ｖ、ＬＮＡ２２、バンドパスフィルタ２４を介してミキサ２６に供給され、第２の中間周波信号に周波数変換される。
【００３８】
切換制御回路４６は、＋１５Ｖの電圧が検出され、パルス信号が検出されていないとき、ＬＮＡ２０Ｈを動作させ、他のＬＮＡ１８Ｖ、１８Ｈ、２０Ｖを動作させない。従って、第３乃至第６の衛星信号のうち水平偏波の第６の衛星信号がＬＮＡ２０Ｈ、ＬＮＡ２２、バンドパスフィルタ２４を介してミキサ２６に供給され、第２の中間周波信号に周波数変換される。
【００３９】
即ち、ＬＮＡ１８Ｖ、１８Ｈ、２０Ｈ、２０Ｖでは、直流電圧が＋１１Ｖのとき、垂直偏波面の衛星信号である第３及び第５の衛星信号が選択され、直流電圧が＋１５Ｖのとき、水平偏波面である第４及び第６の衛星信号が選択される。そして、パルス信号が検出されたとき、第２の衛星からの第３及び第４の衛星信号が選択され、パルス信号が検出されないとき、第３の衛星からの第５及び第６の衛星信号が選択される。そして、直流電圧による制御とパルス信号の有無との制御の論理積に従って第３乃至第６の衛星信号のうちいずれか１波が選択される。
【００４０】
このようにして、パルス信号の無い＋１５Ｖの直流電圧が制御信号として供給されると、第１の衛星信号を周波数変換した第１の中間周波信号と、第６の衛星信号を周波数変換した第２の中間周波信号とが出力端子３６から出力される。パルス信号の有る＋１５Ｖの直流電圧が制御信号として供給されると、第１の衛星信号を周波数変換した第１の中間周波信号と、第４の衛星信号を周波数変換した第２の中間周波信号とが出力端子３６から出力される。パルス信号の無い＋１１Ｖの直流電圧が制御信号として供給されると、第２の衛星信号を周波数変換した第１の中間周波信号と、第５の衛星信号を周波数変換した第２の中間周波信号とが出力端子３６から出力される。パルス信号の有る＋１１Ｖの直流電圧が制御信号として供給されると、第２の衛星信号を周波数変換した第１の中間周波信号と、第３の衛星信号を周波数変換した第２の中間周波信号とが出力端子３６から出力される。このように常に２つの衛星信号を周波数変換した中間周波信号が出力端子３６から出力される。
【００４１】
第２の実施形態の周波数変換装置を図２に示す。この実施形態では、第１の静止衛星が例えば放送衛星であって、第１の衛星信号として右旋円偏波の信号のみを出力し、第２の衛星信号が存在しない場合のものである。なお、第１の静止衛星を放送衛星と同じ統計に打ち上げられている通信衛星とすることもできる。この場合、プローブ２ＬとＬＮＡ４Ｌとが除去され、ＬＮＡ４Ｒも常に動作する。即ち、出力端子３６には常に第１の衛星信号を周波数変換した第１の中間周波信号が供給される。また、第３乃至第６の衛星信号の切換は、第１の実施形態と同様に行われる。他の構成は、第１の実施形態と同一であるので、同一部分には同一符号を付して、その説明を省略する。
【００４２】
従って、パルス信号の無い＋１５Ｖの直流電圧が制御信号として供給されると、第１の衛星信号を周波数変換した第１の中間周波信号と、第６の衛星信号を周波数変換した第２の中間周波信号とが出力端子３６から出力される。パルス信号の有る＋１５Ｖの直流電圧が制御信号として供給されると、第１の衛星信号を周波数変換した第１の中間周波信号と、第４の衛星信号を周波数変換した第２の中間周波信号とが出力端子３６から出力される。パルス信号の無い＋１１Ｖの直流電圧が制御信号として供給されると、第１の衛星信号を周波数変換した第１の中間周波信号と、第５の衛星信号を周波数変換した第２の中間周波信号とが出力端子３６から出力される。パルス信号の有る＋１１Ｖの直流電圧が制御信号として供給されると、第１の衛星信号を周波数変換した第１の中間周波信号と、第３の衛星信号を周波数変換した第２の中間周波信号とが出力端子３６から出力される。このように常に２つの衛星信号を周波数変換した中間周波信号が出力端子３６から出力される。
【００４３】
第３の実施形態を図３に示す。この実施形態では、第１の一次放射器のプローブ２Ｒにおいて、第７の衛星信号として放送衛星からの右旋円偏波の信号と、第１の衛星信号として同じ東経１１０度に打ち上げられている通信衛星からの右旋円偏波の信号とが受信される。第１の衛星信号と第７の衛星信号とは、同じ右旋円偏波の信号であるが、周波数帯が異なり、第１の衛星信号は１２．２乃至１２．７５ＧＨｚで、第７の衛星信号は１１．７乃至１２．０１４ＧＨｚである。この場合、第２の衛星信号は、第１の衛星信号と同様に通信衛星からの信号であって、第１の衛星信号と周波数帯は同一であるが、左旋円偏波の信号である。
【００４４】
この実施形態では、ＬＮＡ４Ｒ、４Ｌは、電源回路４２から供給される動作電圧によって常に動作する。ＬＮＡ４Ｒの出力、即ち第１及び第７の衛星信号の増幅信号は、２分配器５２によって、２分配され、一方の分配出力は、バンドパスフィルタ８ＢＳに供給され、ここで第７の衛星信号のみが抽出される。一方、他方の分配出力と、ＬＮＡ４Ｌの出力信号とは、切換手段、例えば切換スイッチ５４によって一方が選択され、バンドパスフィルタ８ＣＳに供給される。従って、バンドパスフィルタ８ＣＳの出力側には、どちらも通信衛星から送信された第１または第２の衛星信号が出力される。バンドパスフィルタ８ＢＳの第７の衛星信号と、バンドパスフィルタ８ＣＳからの第１または第２の衛星信号は、混合器５６によって混合され、ミキサ１０に供給される。ここで、第７の衛星信号が第３の中間周波信号に、第１または第２の衛星信号が第１の中間周波信号に周波数変換される。第１または第２の衛星信号と第７の衛星信号との周波数帯が異なっているので、同一の局部発振信号を用いて周波数変換しても、第１と第３の中間周波信号は、周波数帯が異なっている。切換スイッチ５４は、出力端子３６に供給された直流電圧が、＋１５Ｖのときに、分配器５２の分配出力を選択し、＋１１Ｖのときに、ＬＮＡ４Ｌの出力を選択するように切換制御回路４６に制御される。
【００４５】
ＬＮＡ１８Ｖ、１８Ｈ、２０Ｖ、２０Ｈの制御は、第１及び第２の実施形態と同様に行われる。従って、パルス信号の無い＋１５Ｖの直流電圧が制御信号として供給されると、第１の衛星信号を周波数変換した第１の中間周波信号と、第７の衛星信号を周波数変換した第３中間周波信号と、第６の衛星信号を周波数変換した第２の中間周波信号とが出力端子３６から出力される。パルス信号の有る＋１５Ｖの直流電圧が制御信号として供給されると、第１の衛星信号を周波数変換した第１の中間周波信号と、第７の衛星信号を周波数変換した第３中間周波信号と、第４の衛星信号を周波数変換した第２の中間周波信号とが出力端子３６から出力される。パルス信号の無い＋１１Ｖの直流電圧が制御信号として供給されると、第２の衛星信号を周波数変換した第１の中間周波信号と、第１の衛星信号を周波数変換した第３の中間周波信号と、第５の衛星信号を周波数変換した第２の中間周波信号とが出力端子３６から出力される。パルス信号の有る＋１１Ｖの直流電圧が制御信号として供給されると、第２の衛星信号を周波数変換した第１の中間周波信号と、第７の衛星信号を周波数変換した第３中間周波信号と、第３の衛星信号を周波数変換した第２の中間周波信号とが出力端子３６から出力される。このように第７の衛星信号を周波数変換した第１中間周波信号が常に出力端子３６に供給される上に、第１または第２の衛星信号を周波数変換した第３中間周波信号と、第３乃至第６の衛星信号のうち選択された１波を周波数変換した第２中間周波信号が出力端子３６から出力される。
【００４６】
第４の実施形態を図４に示す。この実施形態は第３の実施形態と同様に第１乃至第７の衛星信号を周波数変換するもので、第３の実施形態と同様に、ＬＮＡ４Ｒ、４Ｌは常に動作している。ＬＮＡ４Ｒで増幅された第１及び第７の衛星信号は２分配器５２で２分配される。その一方の分配出力は、バンドパスフィルタ８ＢＳＣＳＲに供給され、第１及び第７の衛星信号が抽出される。また、他方の分配出力はバンドパスフィルタ８ＢＳに供給され、第７の衛星信号がバンドパスフィルタ８ＢＳによって抽出される。また、ＬＮＡ４Ｌの増幅出力（第２の衛星信号の増幅出力）はバンドパスフィルタ８ＣＳＬに供給され、第２の衛星信号が抽出される。これらバンドパスフィルタ８ＢＳ、８ＣＳＬの出力信号（放送衛星からの右旋円偏波信号である第７の衛星信号と、通信衛星からの左旋円偏波信号である第２の衛星信号）が混合器５６ａによって混合される。
【００４７】
この混合出力と、バンドパスフィルタ８ＢＳＣＳＲからの第１及び第７の衛星信号（通信衛星からの右旋円偏波信号と放送衛星からの右旋円偏波信号）とのうち一方が、切換スイッチ５４ａによって選択され、ミキサ１０に供給される。従って、ミキサ１０は、第７の衛星信号を周波数変換した第３の中間周波信号と第１の衛星信号を周波数変換した第１の中間周波信号、または第１の衛星信号を周波数変換した第３の中間周波信号と第２の衛星信号を周波数変換した第１の中間周波信号の一方を出力する。切換スイッチ５４ａの切換は、例えば＋１５Ｖの直流電圧が供給されると、バンドパスフィルタ８ＢＳＣＳＲの出力をミキサ１０に供給し、＋１１Ｖの直流電圧が供給されると、混合器５６ａの出力信号がミキサ１０に供給されるように、切換制御回路４６によって行われる。
【００４８】
ＬＮＡ１８Ｖ、１８Ｈ、２０Ｖ、２０Ｈの制御は、第１及び第２の実施形態と同様に行われる。従って、パルス信号の無い＋１５Ｖの直流電圧が制御信号として供給されると、第７の衛星信号を周波数変換した第３の中間周波信号と、第１の衛星信号を周波数変換した第１の中間周波信号と、第６の衛星信号を周波数変換した第２の中間周波信号とが出力端子３６から出力される。パルス信号の有る＋１５Ｖの直流電圧が制御信号として供給されると、第７の衛星信号を周波数変換した第３の中間周波信号と、第１の衛星信号を周波数変換した第１の中間周波信号と、第４の衛星信号を周波数変換した第２の中間周波信号とが出力端子３６から出力される。パルス信号の無い＋１１Ｖの直流電圧が制御信号として供給されると、第２の衛星信号を周波数変換した第１の中間周波信号と、第７の衛星信号を周波数変換した第３の中間周波信号と、第５の衛星信号を周波数変換した第２の中間周波信号とが出力端子３６から出力される。パルス信号の有る＋１１Ｖの直流電圧が制御信号として供給されると、第２の衛星信号を周波数変換した第１の中間周波信号と、第７の衛星信号を周波数変換した第３の中間周波信号と、第３の衛星信号を周波数変換した第２の中間周波信号とが出力端子３６から出力される。第７の衛星信号を周波数変換した第３の中間周波信号が常に出力端子３６に供給される上に、第１及び第２の衛星信号を周波数変換した第１中間周波信号の一方と第３乃至第６の衛星信号のうち選択された１波を周波数変換した第２中間周波信号とが出力端子３６から出力される。
【００４９】
第５の実施形態を図５に示す。この実施形態も、第１の一次放射器によって第１、第２及び第７の衛星信号を受信するものである。第１の一次放射器のプローブ２Ｒで受信された右旋円偏波の第１及び第７の衛星信号はＬＮＡ４Ｒで増幅され、２分配器５２で２分配される。一方の分配出力は第７の衛星信号を通過させる通過帯域を持つバンドパスフィルタ８ＢＳに供給され、このバンドパスフィルタ８ＢＳによって抽出された第７の衛星信号は、混合器３０ａに供給される。
【００５０】
他方の分配出力は、ＬＮＡ６ＣＳＲによって増幅される。同様にプローブ２Ｌによって受信された左旋円偏波の第２の衛星信号もＬＮＡ６ＣＳＬによって増幅される。さらに、第２及び第３の一次放射器のプローブ１４Ｖ、１４Ｈ、１６Ｖ、１６Ｈによって受信された第３乃至第６の衛星信号は、ＬＮＡ１８Ｖ、１８Ｈ、２０Ｖ、２０Ｈによって増幅され、さらにＬＮＡ２２で増幅される。これらＬＮＡ６ＣＳＲ、６ＣＳＬ、２２の出力が、第２乃至第６の衛星信号を通過させるように通過帯域を選択されたバンドパスフィルタ８ＣＳを介して混合器３０ａに供給されている。
【００５１】
混合器３０ａの出力信号は、ミキサ１０ａにおいて局部発振器１２ａからの局部発振信号によって周波数変換され、直流阻止コンデンサ３４を介して出力端子３６に供給される。これら第１乃至第７の衛星信号を周波数変換するのに、１台のミキサ１０ａと１台の局部発振器１２ａとしか使用されていない。
【００５２】
チューナから出力端子３６に供給される制御信号は、上述した各実施形態とは異なり、例えば＋８Ｖ、＋１１Ｖ及び＋１５Ｖのうちいずれかの直流電圧に、パルス信号が混合されていたり、いなかったりするものである。
【００５３】
出力端子３６になんらかの直流電圧が供給されている限り、電源回路４２からの動作電圧によってＬＮＡ４Ｒ、ＬＮＡ６ＢＳ、ミキサ１０ａ、局部発振器１２ａ、中間周波増幅器３２は常に動作している。従って、第７の衛星信号は、ＬＮＡ４Ｒ、ＬＮＡ６ＢＳ、バンドパスフィルタ８ＢＳ、混合器３０ａを介してミキサ１０ａに供給され、第１の中間周波信号に周波数変換され、出力端子３６に常に供給されている。
【００５４】
出力端子３６に供給された直流電圧が＋８Ｖであって、パルス信号が検出されていないとき、ＬＮＡ６ＣＳＲが動作し、ＬＮＡ６ＣＳＬ、４Ｌ、１８Ｖ、１８Ｈ、２０Ｖ、２０Ｈ、２２Ｖは動作しない。従って、２分配器５２の他方の分配出力に生じた第１及び第７の衛星信号はＬＮＡ６ＣＳＲで増幅され、バンドパスフィルタ８ＣＳに供給される。ここで抽出された第１の衛星信号が混合器３０ａを介してミキサ１０ａに供給され、第２の中間周波信号に周波数変換され、出力端子３６に供給される。このように＋８Ｖの直流電圧のみが供給された場合、出力端子３６には、第７の衛星信号を周波数変換した第１の中間周波信号と、第１の衛星信号を周波数変換した第２の中間周波信号とが生じる。
【００５５】
出力端子３６に供給された直流電圧が＋８Ｖであって、パルス信号が検出されると、ＬＮＡ６ＣＳＬが動作し、ＬＮＡ６ＣＳＲ、１８Ｖ、１８Ｈ、２０Ｖ、２０Ｈ、２２は動作しない。従って、プローブ２Ｌで受信された第２の衛星信号がＬＮＡ４Ｌ、６ＣＳＬで増幅され、バンドパスフィルタ８ＣＳ、混合器３０ａを介してミキサ１０ａに供給され、周波数変換される。このように＋８Ｖの直流電圧とパルス信号が供給されると、出力端子３６には、第７の衛星信号を周波数変換した第１の中間周波信号と、第２の衛星信号を周波数変換した第１の中間周波信号とが生じる。
【００５６】
即ち、第１の一次放射器によって受信された第１及び第２の衛星信号が、＋８Ｖの直流電圧によって選択され、パルス信号の有無によって第１または第２の衛星信号が選択される。
【００５７】
出力端子３６に供給された直流電圧が＋１５Ｖまたは＋１１Ｖである場合、パルスの有無とは無関係にＬＮＡ２２が動作する。
【００５８】
ＬＮＡ１８Ｖ、１８Ｈ、２０Ｖ、２０Ｈの切換は、上述した各実施の形態と同様に行われる。従って、＋１５Ｖのみの場合に第６の衛星信号が、＋１５Ｖにパルス信号が加えられた場合に第４の衛星信号が、＋１１Ｖのみの場合に第５の衛星信号が、＋１１Ｖにパルス信号が加えられた場合に第３の衛星信号が、ＬＮＡ２２、バンドパスフィルタ８ＣＳ、混合器３０ａを介してミキサ１０ａに供給され、第２の中間周波信号に周波数変換される。この場合でも、第７の衛星信号を周波数変換した第１中間周波信号は、常に出力端子３６に生じている。
【００５９】
従って、この実施の形態においても、常に２波の中間周波信号が出力端子３６に生じている。
【００６０】
第６の実施形態を図６に示す。この実施の形態は、第１の実施の形態と同様に、第１の一次放射器のプローブ２Ｒにおいて右旋円偏波の第１の衛星信号が受信され、プローブ２Ｌにおいて左旋円偏波の第２の衛星信号が受信される。第２及び第３の一次放射器のプローブ１４Ｖ、１４Ｈ、１６Ｖ、１６Ｈによって第３乃至第６の衛星信号が受信される。
【００６１】
プローブ２Ｒで受信された右旋円偏波の第１の衛星信号はＬＮＡ４Ｒで増幅され、プローブ２Ｌで受信された左旋円偏波の第２の衛星信号はＬＮＡ４Ｌで増幅される。ＬＮＡ４Ｒ、４Ｌの増幅信号は、ＬＮＡ６によって増幅された後、第１及び第２の衛星信号を通過させる通過帯域を備えたバンドパスフィルタ８を通過してミキサ１０ｂに供給される。
【００６２】
プローブ１４Ｖで受信された垂直偏波の第３の衛星信号は、ＬＮＡ１８Ｖによって増幅され、プローブ１４Ｈで受信された水平偏波の第４の衛星信号は、ＬＮＡ１８Ｈによって増幅される。ＬＮＡ１８Ｖ、１８Ｈの増幅信号は、ＬＮＡ２２ａによって増幅された後、第３及び第４の衛星信号を通過させるバンドパスフィルタ２４ａを介してミキサ２６ａに供給される。ミキサ１０ｂとミキサ２６ａとには、同一の局部発振器１２ｂから局部発振信号が供給されている。
【００６３】
プローブ１６Ｖで受信された垂直偏波の第５の衛星信号は、ＬＮＡ２０Ｖによって増幅され、プローブ１６Ｈで受信された水平偏波の第６の衛星信号は、ＬＮＡ２０Ｈによって増幅される。ＬＮＡ２０Ｖ、２０Ｈの増幅出力信号は、ＬＮＡ２２ｂによって増幅された後、第５及び第６の衛星信号を通過させるバンドパスフィルタ２４ｂを介してミキサ２６ｂに供給される。ミキサ２６ｂには局部発振器２８ａから局部発振信号が供給されている。局部発振器２８ａの局部発振信号の周波数と、局部発振器１２ｂの局部発振信号の周波数とは異なっている。ミキサ２６ａ、２６ｂの出力信号は、混合器３０ｂによって混合され、ミキサ１０ｂの出力と共に中間周波増幅器３２で増幅され、直流阻止コンデンサ３４を介して出力端子３６に供給される。
【００６４】
電源部４０の切換制御回路４６は、出力端子３６に供給される＋１５Ｖまたは＋１１Ｖの直流電圧及びこれらにパルス信号が加えられているか否かに応じて、ＬＮＡ４Ｒ、４Ｌ、６、１８Ｖ、１８Ｈ、２２ａ、２０Ｖ、２０Ｈ、２２ｂを制御する。
【００６５】
出力端子３６に＋１５Ｖまたは＋１１Ｖの電圧が供給されていると（パルス信号の有無に無関係に）、ミキサ１０ｂ、２６ａ、２６ｂ、局部発振器１２ｂ、２８ａ、中間周波増幅器３２が常に動作する。
【００６６】
パルス信号が検出されないで、＋１５Ｖまたは＋１１Ｖの電圧が検出されると、ＬＮＡ６が動作し、ＬＮＡ２２ａ、２２ｂは動作しない。従って、第１の一次放射器からの第１または第２の衛星信号のみが周波数変換される。パルス信号が検出されず、＋１５Ｖの電圧が検出されると、ＬＮＡ４Ｒが動作し、第１の衛星信号がＬＮＡ４Ｒ、６で増幅され、バンドパスフィルタ８を介してミキサ１０ｂに供給され、第１の中間周波信号に周波数変換される。この第１の中間周波信号は、中間周波増幅器３２で増幅され、直流阻止コンデンサ３４を介して出力端子３６に供給される。
【００６７】
パルス信号が検出されず、＋１１Ｖの電圧が検出されると、ＬＮＡ４Ｌが動作し、第２の衛星信号がＬＮＡ４Ｌ、６で増幅され、バンドパスフィルタ８を介してミキサ１０ｂに供給され、第１の中間周波信号に周波数変換される。この第１の中間周波信号は、中間周波増幅器３２で増幅され、直流阻止コンデンサ３４を介して出力端子３６に供給される。
【００６８】
パルス信号が検出され、かつ＋１５Ｖまたは＋１１Ｖの電圧が検出されると、ＬＮＡ２２ａ、２２ｂが動作し、ＬＮＡ６は動作しない。従って、第２または第３の一次放射器からの第３乃至第６の衛星信号のいずれかのみが周波数変換される。
【００６９】
パルス信号が検出され、かつ＋１１Ｖの電圧が検出されると、ＬＮＡ１８Ｖ、２０Ｖが動作し、ＬＮＡ１８Ｈ、２０Ｈが動作しない。従って、プローブ１４Ｖで受信された垂直偏波の第３の衛星信号は、ＬＮＡ１８Ｖ、ＬＮＡ２２ａ、バンドパスフィルタ２４ａを介してミキサ２６ａに供給され、第２の中間周波信号に周波数変換される。同時に、プローブ１６Ｖで受信された垂直偏波の第５の衛星信号が、ＬＮＡ２０Ｖ、２２ｂで増幅され、バンドパスフィルタ２４ｂを介してミキサ２６ｂに供給され、第３の中間周波信号に周波数変換される。これら第２及び第３の中間周波信号は、混合器３０ｂで混合され、中間周波増幅器３２で増幅され、出力端子３６に供給される。ここで、第３の衛星信号と第５の衛星信号とは周波数帯が同一であるが、第３の衛星信号の周波数変換には局部発振器１２ｂの局部発振信号が使用され、第５の衛星信号の周波数変換には、局部発振器１２ｂの局部発振周波数とは異なる周波数の局部発振器２８ａからの局部発振信号を使用しているので、第２及び第３の中間周波信号の周波数帯が同一にはならない。
【００７０】
パルス信号が検出され、かつ＋１５Ｖの電圧が検出されると、ＬＮＡ１８Ｈ、２０Ｈが動作し、ＬＮＡ１８Ｖ、２０Ｖが動作しない。従って、プローブ１４Ｈで受信された水平偏波の第４の衛星信号は、ＬＮＡ１８Ｈ、ＬＮＡ２２ａ、バンドパスフィルタ２４ａを介してミキサ２６ａに供給され、第２の中間周波信号に周波数変換される。同時に、プローブ１６Ｈで受信された水平偏波の第６の衛星信号が、ＬＮＡ２０Ｈ、２２ｂで増幅され、バンドパスフィルタ２４ｂを介してミキサ２６ｂに供給され、第３の中間周波信号に周波数変換される。これら第２及び第３の中間周波信号は、混合器３０ｂで混合され、中間周波増幅器３２で増幅され、出力端子３６に供給される。ここで、第４の衛星信号と第６の衛星信号とは周波数帯が同一であるが、上述した理由により、第２及び第３の中間周波信号の周波数帯は同一にはならない。
【００７１】
このように第２及び第３の一次放射器のプローブで受信した第３乃至第６の衛星信号のうち、同じ偏波面を持つ２波の衛星信号が同時に周波数変換されて、出力端子３６から出力されている。
【００７２】
第５の実施形態では、各衛星信号の周波数変換に１台のミキサ１０ａのみを使用したが、例えばバンドパスフィルタ８ＢＳの出力側に第７の衛星放送信号専用のミキサを設け、バンドパスフィルタ８ＣＳの出力側に第１乃至第６衛星信号専用のミキサを設け、これら両ミキサの出力信号を混合器３０ａで混合するように構成することもできる。また、第５の実施形態では、＋８Ｖ、＋１１Ｖ及び＋１５Ｖのいずれかの直流電圧を出力端子３６に供給し、＋８Ｖの直流電圧のみが供給されたとき、ＬＮＡ６ＣＳＲを選択し、＋８Ｖとパルス信号が供給されたときＬＮＡ６ＣＳＬを選択するように構成したが、これに代えて、＋１１Ｖまたは＋１５Ｖの直流電圧を発生し、既に使用している第１のパルス信号とは異なる周波数の第２パルス信号をチューナが発生するように構成し、第２のパルス信号が検出されたとき、ＬＮＡ６ＣＳＲを動作させ、＋１１Ｖの電圧で第２のパルス信号が検出されたとき、ＬＮＡ６ＣＳＲを動作させるように構成することもできる。
【図面の簡単な説明】
【００７３】
【図１】本発明の第１の実施形態の周波数変換装置のブロック図である。
【図２】本発明の第２の実施形態の周波数変換装置のブロック図である。
【図３】本発明の第３の実施形態の周波数変換装置のブロック図である。
【図４】本発明の第４の実施形態の周波数変換装置のブロック図である。
【図５】本発明の第５の実施形態の周波数変換装置のブロック図である。
【図６】本発明の第６の実施形態の周波数変換装置のブロック図である。
【符号の説明】
【００７４】
４Ｒ、４Ｌ、１８Ｖ、１８Ｈ、２０Ｖ、２０Ｈ  選択手段
１０  ミキサ（第１の周波数変換手段）
２６  ミキサ（第２の周波数変換手段）
【図１】
2007096419.tif 000003
【図２】
2007096419.tif 000004
【図３】
2007096419.tif 000005
【図４】
2007096419.tif 000006
【図５】
2007096419.tif 000007
【図６】
2007096419.tif 000008